(57)【要約】【課題】画素が高精細化されても優れた表示品質を有する有機ＥＬ装置とその製造方法及び電子機器を提供する。【解決手段】有機ＥＬ装置１は、素子基板１０と、素子基板１０上に設けられた、陽極２４と、陽極２４に対向して配置された陰極２５と、陽極２４と陰極２５との間に配置された有機機能層２６と、を含む発光素子２７と、発光素子２７上に設けられた透光層３０と、透光層３０を区画する溝部３１と、溝部３１を埋めるように樹脂材料で形成された遮光層３５と、を備えたことを特徴とする。【選択図】図４
2015005423.tif 000002
【特許請求の範囲】
【請求項１】
基板と、
前記基板上に設けられた、第１の電極と、前記第１の電極に対向して配置された第２の電極と、前記第１の電極と前記第２の電極との間に配置された有機発光層と、を含む発光素子と、
前記発光素子上に設けられた透光層と、
前記透光層を区画する溝部と、
前記溝部を埋めるように樹脂材料で形成された遮光層と、
を備えたことを特徴とする有機ＥＬ装置。
【請求項２】
前記遮光層は、積層された少なくとも２つの着色層を含むことを特徴とする請求項１に記載の有機ＥＬ装置。
【請求項３】
前記遮光層は、黒色の色材を含有する樹脂材料で構成されていることを特徴とする請求項１に記載の有機ＥＬ装置。
【請求項４】
前記遮光層は、透過する光の波長を可視光域以外の波長帯域の光に変換する色変換材料で構成されていることを特徴とする請求項１に記載の有機ＥＬ装置。
【請求項５】
前記透光層は、樹脂材料で形成されていることを特徴とする請求項１から４のいずれか一項に記載の有機ＥＬ装置。
【請求項６】
前記透光層は、無機材料で形成されていることを特徴とする請求項１から４のいずれか一項に記載の有機ＥＬ装置。
【請求項７】
前記発光素子上に無機材料で形成された保護層を備え、
前記透光層は、前記保護層と一体で設けられていることを特徴とする請求項６に記載の有機ＥＬ装置。
【請求項８】
前記透光層は、可視光域の波長範囲において光の９０％以上が透過する透光性を有していることを特徴とする請求項５から７のいずれか一項に記載の有機ＥＬ装置。
【請求項９】
複数の異なる波長帯域の光を共振させる光共振構造を有し、
前記第１の電極と前記有機発光層との間に、平面視で前記第１の電極の周縁部と重なるように設けられた透光性を有する絶縁層を備え、
前記遮光層は、平面視で前記絶縁層と重なるように配置されていることを特徴とする請求項１から８のいずれか一項に記載の有機ＥＬ装置。
【請求項１０】
請求項１から９のいずれか一項に記載の有機ＥＬ装置を備えたことを特徴とする電子機器。
【請求項１１】
基板上に、第１の電極と有機発光層と第２の電極とを配置して発光素子を形成する工程と、
前記発光素子上に透光層を形成する工程と、
前記透光層に溝部を形成する溝部形成工程と、
前記溝部に樹脂材料で遮光層を形成する遮光層形成工程と、を備え、
前記溝部形成工程では、前記透光層を平面視で前記第１の電極と重なる領域毎に区画するように前記溝部を形成し、
前記遮光層形成工程では、
前記溝部を埋めるとともに前記透光層を覆うようにスピンコート法により前記樹脂材料を配置した後、配置した前記樹脂材料のうち前記透光層と重なる部分をフォトリソグラフィ法により除去することを特徴とする有機ＥＬ装置の製造方法。
【請求項１２】
前記樹脂材料として、互いに色の異なる第１の着色層と第２の着色層とを少なくとも含み、
前記遮光層形成工程は、
スピンコート法により、前記溝部を埋めるとともに前記透光層を覆うように前記第１の着色層を配置した後、フォトリソグラフィ法により、配置した前記第１の着色層のうち前記透光層と重なる部分を除去するとともに、前記溝部に配置された前記第１の着色層の膜厚を薄くする工程と、
スピンコート法により、前記溝部を埋めるとともに前記透光層を覆うようにスピンコート法により前記第２の着色層を配置した後、フォトリソグラフィ法により、配置した前記第２の着色層のうち前記透光層と重なる部分を除去するとともに、前記溝部に配置された前記第２の着色層の膜厚を薄くする工程と、を含むことを特徴とする請求項１１に記載の有機ＥＬ装置の製造方法。
【請求項１３】
前記遮光層形成工程により形成された前記遮光層において、前記第１の着色層の膜厚は、前記第２の着色層の膜厚よりも厚いことを特徴とする請求項１２に記載の有機ＥＬ装置の製造方法。
【請求項１４】
前記遮光層形成工程において、前記第１の着色層は、フォトリソグラフィ法により前記第２の着色層よりも容易に膜厚が薄くなることを特徴とする請求項１２に記載の有機ＥＬ装置の製造方法。
【発明の詳細な説明】
【技術分野】
【０００１】
本発明は、有機ＥＬ装置、有機ＥＬ装置の製造方法、及び電子機器に関する。
【背景技術】
【０００２】
有機ＥＬ（Electro Luminescence）装置は、陽極と陰極との間に有機発光層が挟持された発光素子を素子基板上に備えている。有機発光層は、例えば、インクジェット法等の液滴吐出法や真空蒸着法を用いて、Ｒ，Ｇ，Ｂの発光色毎に形成される。有機ＥＬ装置が、例えばヘッドマウントディスプレイ（ＨＭＤ）等の小型の電子機器の表示装置として利用される場合、有機ＥＬ装置には画素の高精細化（微細化）が求められる。画素が高精細化されると、有機発光層をＲ，Ｇ，Ｂの発光色毎に個別に形成することが困難となるが、カラーフィルターを備えることで白色発光する有機発光層を全面に形成することが可能な有機ＥＬ装置の構成が提案されている（例えば、特許文献１）。
【０００３】
特許文献１に記載の有機ＥＬ装置では、素子基板に対向配置される対向基板にＲ，Ｇ，Ｂのカラーフィルターが配置されている。そして、隣り合う画素同士の間の漏れ光による混色を抑止するため、隣り合うカラーフィルター同士の間には、黒色の色材を含んだ樹脂材料からなる遮光層が設けられている。しかしながら、対向基板にカラーフィルターを備えた有機ＥＬ装置の構成では、素子基板と対向基板とを貼り合せる際に相互の位置がずれた場合、各画素とカラーフィルターとの位置ずれが生じるおそれがある。画素が高精細化されると遮光層の幅も狭くなるため、位置ずれが生じた場合その影響がより大きくなるので、漏れ光等を遮光する機能が損なわれるという課題がある。
【０００４】
一方、薄型化を図るため、素子基板の発光素子上にカラーフィルターを備えた有機ＥＬ装置の構成が提案されている（例えば、特許文献２）。特許文献２に記載の有機ＥＬ装置では、隣り合うカラーフィルター同士の間に、黒色の色材を含んだ樹脂材料、又はクロム（Ｃｒ）からなる遮光層が設けられている。遮光層は、発光素子上の全面に成膜された後、フォトリソグラフィ法によりパターニングされて形成される。特許文献２に記載の有機ＥＬ装置の構成によれば、素子基板と対向基板とを接合する際の位置ずれの影響を排除することができる。
【先行技術文献】
【特許文献】
【０００５】
【特許文献１】特開２００９−２５９５０９号公報
【特許文献２】特開２０１０−２７２６５号公報
【発明の概要】
【発明が解決しようとする課題】
【０００６】
しかしながら、特許文献２に記載の有機ＥＬ装置の構成では、遮光層をクロム等の金属で形成する場合、有機発光層から発せられた光の一部が遮光層で有機発光層側へ反射されて迷光となり、表示品質が損なわれるおそれがあるという課題がある。また、遮光層を樹脂材料で形成する場合、樹脂材料をフォトリソグラフィ法によりパターニングする際に、樹脂材料が表面側からだけでなく側面側からも現像されるため、樹脂材料が底部側から剥れる可能性がある。特に、黒色の色材を含んだ感光性の樹脂材料を用いる場合、樹脂材料を露光する際に光が黒色の色材に吸収されることにより、樹脂材料の底部側に十分感光しない部分ができる場合がある。このような場合、現像の際に十分感光しなかった底部側の部分も一部が除去されてしまい、残留すべき部分が剥れるおそれがある。黒色の色材を含んだ樹脂材料の代わりに、色が異なる複数の着色層を積層して遮光層を形成することも考えられるが、着色層をパターニングする際に着色層が側面側からも現像されるため、積層された着色層同士の界面で剥れが生じるおそれがある。
【０００７】
有機発光層から発せられた光を所定の共振波長で共振させる光共振構造を備えた有機ＥＬ装置では、カラーフィルターを不要とすることができる。しかしながら、画素の領域を区画する絶縁層の一部が陽極の周縁部上に配置されており、絶縁層と陽極とが重なる部分で画素の領域と光の共振波長が異なるため、この部分から波長の異なる光が射出されると画素の領域から射出される光の色の純度低下を招くこととなる。したがって、光共振構造を備えカラーフィルターを不要とする場合でも、絶縁層と陽極とが重なる部分から射出される光を遮光するため遮光層を設けることが好ましく、このような遮光層に対して、上述の課題を解決することが求められる。
【課題を解決するための手段】
【０００８】
本発明の態様は、上記課題の少なくとも一部を解決するためになされたものであり、以下の形態または適用例として実現することが可能である。
【０００９】
［適用例１］本適用例に係る有機ＥＬ装置は、基板と、前記基板上に設けられた、第１の電極と、前記第１の電極に対向して配置された第２の電極と、前記第１の電極と前記第２の電極との間に配置された有機発光層と、を含む発光素子と、前記発光素子上に設けられた透光層と、前記透光層を区画する溝部と、前記溝部を埋めるように樹脂材料で形成された遮光層と、を備えたことを特徴とする。
【００１０】
本適用例の構成によれば、発光素子上に設けられた透光層を区画する溝部を埋めるように遮光層が設けられている。すなわち、遮光層は、溝部の内側に透光層の両側面に接して設けられている。したがって、遮光層を形成する工程において、遮光層の材料は表面側から現像されるが側面側からは現像されないため、透光層が設けられていない場合と比べて、遮光層の剥れを抑えることができる。これにより、画素が高精細化され遮光層の幅が狭い場合でも、良好な遮光性を有する遮光層を形成することができる。また、遮光層が樹脂材料で形成されているので、遮光層が金属材料で形成されている場合と比べて、有機発光層から発せられた光の遮光層での反射を抑止できる。これにより、優れた表示品質を有する有機ＥＬ装置を提供できる。
【００１１】
［適用例２］上記適用例に係る有機ＥＬ装置であって、前記遮光層は、積層された少なくとも２つの着色層を含むことが好ましい。
【００１２】
本適用例の構成によれば、遮光層が少なくとも２つの着色層を積層して形成される。そのため、黒色の色材を含有する樹脂材料で遮光層を形成する場合と比べて、各着色層の材料である樹脂材料を露光する際に光が樹脂材料の底部側まで透過し易くなるので、樹脂材料を底部側までより良好に感光させることができる。また、先に形成した１つ目の着色層の上に積層形成した２つ目の着色層の樹脂材料を現像する際に、２つ目の着色層の樹脂材料は側面側からは現像されないため、２つ目の着色層の樹脂材料が１つ目の着色層から剥れることを抑止できる。なお、着色層を積層した遮光層は、透過する光の波長帯域を各着色層で異ならせることで透過する光を低減できるので、遮光層の機能を果たすことができる。
【００１３】
［適用例３］上記適用例に係る有機ＥＬ装置であって、前記遮光層は、黒色の色材を含有する樹脂材料で構成されていてもよい。
【００１４】
本適用例の構成によれば、遮光層を黒色の色材を含有する樹脂材料で形成する場合でも、樹脂材料は表面側から現像されるが側面側からは現像されないため、樹脂材料の底部側に十分露光されなかった部分があった場合でも、樹脂材料の剥れを抑止することができる。
【００１５】
［適用例４］上記適用例に係る有機ＥＬ装置であって、前記遮光層は、透過する光の波長を可視光域以外の波長帯域の光に変換する色変換材料で構成されていてもよい。
【００１６】
本適用例の構成によれば、遮光層が色変換材料で形成される。そのため、黒色の色材を含有する樹脂材料で遮光層を形成する場合と比べて、遮光層の樹脂材料を露光する際に光が樹脂材料の底部側まで透過し易くなるので、樹脂材料を底部側までより良好に感光させることができる。色変換材料で形成された遮光層は、透過する光の波長を可視光域以外の波長帯域の光に変換するので、遮光層の機能を果たすことができる。
【００１７】
［適用例５］上記適用例に係る有機ＥＬ装置であって、前記透光層は、樹脂材料で形成されていることが好ましい。
【００１８】
本適用例の構成によれば、透光層の材料に樹脂材料を用いることで、無機材料を用いる場合と比べて、透光層をより容易に形成することができる。
【００１９】
［適用例６］上記適用例に係る有機ＥＬ装置であって、前記透光層は、無機材料で形成されていることが好ましい。
【００２０】
本適用例の構成によれば、透光層の材料に無機材料を用いることで、樹脂材料を用いる場合と比べて、耐光性や耐熱性により優れた透光層を形成することができる。
【００２１】
［適用例７］上記適用例に係る有機ＥＬ装置であって、前記発光素子上に無機材料で形成された保護層を備え、前記透光層は、前記保護層と一体で設けられていることが好ましい。
【００２２】
本適用例の構成によれば、発光素子上に無機材料で形成された保護層と透光層とを一体とすることで、無機材料の層を形成する工程を低減できる。
【００２３】
［適用例８］上記適用例に係る有機ＥＬ装置であって、前記透光層は、可視光域の波長範囲において光の９０％以上が透過する透光性を有していることが好ましい。
【００２４】
本適用例の構成によれば、透光層が可視光域の全波長範囲において光の９０％以上が透過する透光性を有しているので、透光層を透過することによる射出光の輝度低下を小さく抑えることができる。
【００２５】
［適用例９］上記適用例に係る有機ＥＬ装置であって、複数の異なる波長帯域の光を共振させる光共振構造を有し、前記第１の電極と前記有機発光層との間に、平面視で前記第１の電極の周縁部と重なるように設けられた透光性を有する絶縁層を備え、前記遮光層は、平面視で前記絶縁層と重なるように配置されていることが好ましい。
【００２６】
本適用例の構成によれば、光共振構造を有する有機ＥＬ装置において、遮光層が、第１の電極の周縁部と重なるように設けられた透光性を有する絶縁層と重なるように配置されている。絶縁層と第１の電極とが重なる部分から射出される光の共振波長は、絶縁層と第１の電極とが重ならない画素の領域から射出される光の共振波長と異なる。このような画素の領域から射出される光の共振波長と異なる波長の光が遮光層で遮られるので、射出される光の色の純度低下を抑えることができる。
【００２７】
［適用例１０］本適用例に係る電子機器は、上記に記載の有機ＥＬ装置を備えたことを特徴とする。
【００２８】
本適用例の構成によれば、優れた表示品質を有する有機ＥＬ装置を備えているので、電子機器の表示品質を向上させることができる。
【００２９】
［適用例１１］本適用例に係る有機ＥＬ装置の製造方法は、基板上に、第１の電極と有機発光層と第２の電極とを配置して発光素子を形成する工程と、前記発光素子上に透光層を形成する工程と、前記透光層に溝部を形成する溝部形成工程と、前記溝部に樹脂材料で遮光層を形成する遮光層形成工程と、を備え、前記溝部形成工程では、前記透光層を平面視で前記第１の電極と重なる領域毎に区画するように前記溝部を形成し、前記遮光層形成工程では、前記溝部を埋めるとともに前記透光層を覆うようにスピンコート法により前記樹脂材料を配置した後、配置した前記樹脂材料のうち前記透光層と重なる部分をフォトリソグラフィ法により除去することを特徴とする。
【００３０】
本適用例の製造方法によれば、発光素子上に設けた透光層を区画する溝部を形成し、スピンコート法により溝部を埋めるように遮光層を形成する。すなわち、遮光層は、溝部の内側において透光層の両側面に接するように形成される。したがって、フォトリソグラフィ法によるパターニング工程において、遮光層の材料は表面側から現像されるが側面側からは現像されないため、透光層が設けられていない場合と比べて、遮光層の剥れを抑えることができる。これにより、画素が高精細化され遮光層の幅が狭い場合でも、良好な遮光性を有する遮光層を形成することができる。また、遮光層を樹脂材料で形成するので、遮光層を金属材料で形成する場合と比べて、有機発光層から発せられた光の遮光層での反射を抑止できる。これにより、優れた表示品質を有する有機ＥＬ装置を製造できる。
【００３１】
［適用例１２］上記適用例に係る有機ＥＬ装置の製造方法であって、前記樹脂材料として、互いに色の異なる第１の着色層と第２の着色層とを少なくとも含み、前記遮光層形成工程は、スピンコート法により、前記溝部を埋めるとともに前記透光層を覆うように前記第１の着色層を配置した後、フォトリソグラフィ法により、配置した前記第１の着色層のうち前記透光層と重なる部分を除去するとともに、前記溝部に配置された前記第１の着色層の膜厚を薄くする工程と、スピンコート法により、前記溝部を埋めるとともに前記透光層を覆うようにスピンコート法により前記第２の着色層を配置した後、フォトリソグラフィ法により、配置した前記第２の着色層のうち前記透光層と重なる部分を除去するとともに、前記溝部に配置された前記第２の着色層の膜厚を薄くする工程と、を含むことが好ましい。
【００３２】
本適用例の製造方法によれば、第１の着色層と第２の着色層とを積層して配置することにより遮光層を形成する。そのため、黒色の色材を含有する樹脂材料で遮光層を形成する場合と比べて、各着色層の材料である樹脂材料を露光する際に光が樹脂材料の底部側まで透過し易くなるので、樹脂材料を底部側までより良好に感光させることができる。また、先に形成した１つ目の着色層の上に積層形成した２つ目の着色層の樹脂材料をフォトリソグラフィ法により現像する際に、２つ目の着色層の樹脂材料は側面側からは現像されないため、２つ目の着色層の樹脂材料が１つ目の着色層から剥れることを抑止できる。
【００３３】
［適用例１３］上記適用例に係る有機ＥＬ装置の製造方法であって、前記遮光層形成工程により形成された前記遮光層において、前記第１の着色層の膜厚は、前記第２の着色層の膜厚よりも厚いことが好ましい。
【００３４】
本適用例の製造方法によれば、第２の着色層よりも膜厚が厚い第１の着色層を先に形成する。第１の着色層及び第２の着色層のそれぞれは、溝部を埋めるとともに透光層を覆うように形成されるので、溝部の底部側に形成される着色層では、その上層に形成される着色層と比べて、膜厚を薄くする際の表面側からの膜の削減量が多くなる。したがって、第２の着色層よりも膜厚が厚い第１の着色層を底部側に形成することで、底部側に形成する着色層の膜の削減量を小さくできる。
【００３５】
［適用例１４］上記適用例に係る有機ＥＬ装置の製造方法であって、前記遮光層形成工程において、前記第１の着色層は、フォトリソグラフィ法により前記第２の着色層よりも容易に膜厚が薄くなることが好ましい。
【００３６】
本適用例の製造方法によれば、第２の着色層よりもフォトリソグラフィ法で容易に膜厚を薄くできる第１の着色層を先に形成する。第１の着色層及び第２の着色層のそれぞれは、溝部を埋めるとともに透光層を覆うように形成されるので、溝部の底部側に形成される着色層では、その上層に形成される着色層と比べて、膜厚を薄くする際の表面側からの膜の削減量が多くなる。したがって、第２の着色層よりも容易に膜厚を薄くできる第１の着色層を底部側に形成することで、底部側に形成する着色層の膜厚を容易に所望の膜厚にすることができる。また、膜厚が容易に薄くなる第１の着色層を溝部の底部側に形成することにより、底部側に形成する着色層の膜厚の制御を容易に行うことができる。
【図面の簡単な説明】
【００３７】
【図１】第１の実施形態に係る有機ＥＬ装置の電気的な構成を示す等価回路図。
【図２】第１の実施形態に係る有機ＥＬ装置の構成を示す模式平面図。
【図３】第１の実施形態に係る有機ＥＬ装置のサブ画素の構成を示す模式平面図。
【図４】図３に示す有機ＥＬ装置のＡ−Ａ’線に沿う模式断面図。
【図５】図３に示す有機ＥＬ装置のＢ−Ｂ’線に沿う模式断面図。
【図６】第１の実施形態に係る有機ＥＬ装置の製造方法を説明する模式図。
【図７】第１の実施形態に係る有機ＥＬ装置の製造方法を説明する模式図。
【図８】第１の実施形態に係る有機ＥＬ装置の製造方法を説明する模式図。
【図９】第１の実施形態に係る有機ＥＬ装置の製造方法を説明する模式図。
【図１０】第２の実施形態に係る有機ＥＬ装置の構成を示す模式断面図。
【図１１】第２の実施形態に係る有機ＥＬ装置の製造方法を説明する模式図。
【図１２】第３の実施形態に係る電子機器としてのヘッドマウントディスプレイの構成を示す概略図。
【図１３】変形例１に係る有機ＥＬ装置の製造方法を説明する模式図。
【図１４】変形例２に係る有機ＥＬ装置の製造方法を説明する模式図。
【図１５】比較例を示す模式図。
【発明を実施するための形態】
【００３８】
以下、本発明を具体化した実施形態について図面を参照して説明する。なお、使用する図面は、説明する部分が認識可能な状態となるように、適宜拡大または縮小して表示している。また、説明に必要な構成要素以外は図示を省略する場合がある。
【００３９】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を表すものとする。
【００４０】
（第１の実施形態）
＜有機ＥＬ装置＞
まず、第１の実施形態に係る有機ＥＬ装置の構成について図を参照して説明する。図１は、第１の実施形態に係る有機ＥＬ装置の電気的な構成を示す等価回路図である。図２は、第１の実施形態に係る有機ＥＬ装置の構成を示す模式平面図である。図３は、第１の実施形態に係る有機ＥＬ装置のサブ画素の構成を示す模式平面図である。
【００４１】
図１に示すように、有機ＥＬ装置１は、スイッチング素子としてトランジスターを用いたアクティブマトリックス型の有機ＥＬ装置である。トランジスターは、例えば、薄膜半導体層を用いた薄膜トランジスター（Thin Film Transistor、以下、ＴＦＴという）である。
【００４２】
有機ＥＬ装置１は、基板としての素子基板１０（図２参照）と、素子基板１０上に設けられた走査線１２と、走査線１２に対して交差する方向に延びる信号線１３と、信号線１３に並列に延びる電源線１４とを備えている。信号線１３には、シフトレジスター、レベルシフター、ビデオライン、及びアナログスイッチを備えた信号線駆動回路１５が接続されている。また、走査線１２には、シフトレジスター及びレベルシフターを備えた走査線駆動回路１６が接続されている。
【００４３】
走査線１２と信号線１３とによりサブ画素６（図２参照）の領域が区画されている。サブ画素６は、有機ＥＬ装置１の表示の最小単位であり、例えば、走査線１２の延在方向と信号線１３の延在方向とに沿ってマトリックス状に配列されている。各サブ画素６には、スイッチング用トランジスター２１と、駆動用トランジスター２３と、保持容量２２と、第１の電極としての陽極２４と、第２の電極としての陰極２５と、有機発光層を含む有機機能層２６とが設けられている。
【００４４】
陽極２４と、陰極２５と、有機機能層２６とによって、発光素子（有機ＥＬ素子）２７が構成される。発光素子２７では、陽極２４側から注入される正孔と、陰極２５側から注入される電子とが有機機能層２６の有機発光層で再結合することにより発光が得られる。
【００４５】
有機ＥＬ装置１では、走査線１２が駆動されてスイッチング用トランジスター２１がオン状態になると、信号線１３を介して供給される画像信号が保持容量２２に保持され、保持容量２２の状態に応じて駆動用トランジスター２３のソースとドレインとの間の導通状態が決まる。そして、駆動用トランジスター２３を介して電源線１４に電気的に接続したとき、電源線１４から陽極２４に電流が流れ、さらに有機機能層２６を通じて陰極２５に電流が流れる。
【００４６】
この電流は、駆動用トランジスター２３のソースとドレインとの間の導通状態に応じたレベルとなる。このとき、駆動用トランジスター２３のソースとドレインとの間の導通状態、すなわち、駆動用トランジスター２３のチャネルの導通状態は、駆動用トランジスター２３のゲートの電位により制御される。そして、有機機能層２６の有機発光層は、陽極２４と陰極２５との間に流れる電流量に応じた輝度で発光する。
【００４７】
換言すれば、発光素子２７の発光状態を駆動用トランジスター２３により制御するとき、駆動用トランジスター２３のソース及びドレインのいずれか一方が電源線１４に電気的に接続され、駆動用トランジスター２３のソース及びドレインのいずれか他方が発光素子２７に電気的に接続される。
【００４８】
図２に示すように、有機ＥＬ装置１は、素子基板１０上に、略矩形の平面形状を有する発光領域Ｅを有している。発光領域Ｅは、有機ＥＬ装置１において、実質的に発光に寄与する領域である。発光領域Ｅには、サブ画素６（発光素子２７）が、例えばマトリックス状に配列されている。サブ画素６は、例えば略矩形の平面形状を有している。サブ画素６の略矩形状の４つの角は丸く形成されていてもよい。この場合、サブ画素６の平面形状は、４つの辺と４隅に対応する湾曲部から構成される。
【００４９】
本実施形態に係る有機ＥＬ装置１は、赤色（Ｒ）を発光するサブ画素６Ｒと、緑色（Ｇ）を発光するサブ画素６Ｇと、青色（Ｂ）を発光するサブ画素６Ｂと、を有している。また、サブ画素６Ｒ，６Ｇ，６Ｂに対応して、発光素子（有機ＥＬ素子）２７Ｒ，２７Ｇ，２７Ｂが設けられている。以下では、対応する色を区別しない場合には、単にサブ画素６，発光素子２７と記す。以下では、赤色、緑色、青色を、それぞれＲ、Ｇ、Ｂと記す。
【００５０】
発光領域Ｅの周囲には、２つの走査線駆動回路１６（図１参照）と検査回路（図示省略）とが配置されている。検査回路は、有機ＥＬ装置１の作動状況を検査するための回路である。素子基板１０の外周縁部には、陰極用配線（図示省略）が配置されている。また、素子基板１０の一つの辺側には、端子部３７が設けられている。有機ＥＬ装置１は、端子部３７において、例えば、駆動用ＩＣを備えたフレキシブル基板等に接続される。
【００５１】
本実施形態に係る有機ＥＬ装置１では、サブ画素６Ｒ，６Ｇ，６Ｂにより、画像を形成する際の一つの単位である画素５が構成される。有機ＥＬ装置１は、それぞれの画素５においてサブ画素６Ｒ，６Ｇ，６Ｂのそれぞれの輝度を適宜変えることで、種々の色の光を射出することができる。これにより、有機ＥＬ装置１は、フルカラー表示又はフルカラー発光が可能である。
【００５２】
なお、有機ＥＬ装置１は、発光領域Ｅの外側に、発光素子２７が配置された実質的に有機ＥＬ装置１の発光には寄与しないダミー領域を備えていてもよい。この場合、ダミー領域に配置される発光素子２７は、陽極２４を備えていなくてもよい。
【００５３】
次に、図３を参照して、サブ画素６の構成とその平面的な配置について説明する。本実施形態に係る有機ＥＬ装置１は、白色発光が得られる有機機能層２６（図４参照）を有し、光共振構造（マイクロキャビティ構造）を備えている。
【００５４】
図３に示すように、Ｘ方向には、３色の異なる発光が得られるサブ画素６Ｒ，６Ｇ，６Ｂが順に配列されている。また、Ｙ方向には、同色の発光が得られるサブ画素６Ｒ、サブ画素６Ｇ、又はサブ画素６Ｂのいずれかが一列に配列されている。サブ画素６は、その長手方向がＹ方向に沿うように配置されている。
【００５５】
サブ画素６Ｒ，６Ｇ，６Ｂは、Ｘ方向において、例えば、２．５μｍ〜３μｍ程度のピッチで配置されている。隣り合うサブ画素６同士のＸ方向における間隔は、例えば、１．０μｍ〜１．２５μｍ程度である。各サブ画素６の領域のＸ方向における幅は、例えば、１．５μｍ〜１．７５μｍ程度である。
【００５６】
陽極２４（２４Ｒ，２４Ｇ，２４Ｂ）は、サブ画素６（６Ｒ，６Ｇ，６Ｂ）に対応して設けられている。以下では、対応する色を区別しない場合には、単に陽極２４と記す。陽極２４の平面形状は、サブ画素６の平面形状とほぼ同じ略矩形状であるが、コンタクトホールＣＨと接続される部分を有している。コンタクトホールＣＨは、陽極２４と駆動用トランジスター２３（図５参照）のドレイン電極とを電気的に接続するためのものである。コンタクトホールＣＨと接続される部分は、例えば、陽極２４のＹ方向における一辺側に設けられている。
【００５７】
サブ画素６Ｒ，６Ｇ，６Ｂの領域は、絶縁層２８により区画されている。すなわち、絶縁層２８の開口部２９と平面視で重なる領域が、サブ画素６Ｒ，６Ｇ，６Ｂの領域である。絶縁層２８は、例えば、Ｘ方向及びＹ方向に沿って格子状に設けられている。絶縁層２８の開口部２９は陽極２４よりも小さく、絶縁層２８の一部（図３に斜線を付して示す部分）は、平面視で陽極２４の周縁部と重なるように配置されている。
【００５８】
各サブ画素６の領域と平面視で重なるように、透光性を有する透光層３０が配置されている。透光層３０同士の間には、溝部３１が設けられている。溝部３１は、絶縁層２８と平面視で重なるように配置されている。溝部３１には、遮光層３５が設けられている。遮光層３５は、絶縁層２８と平面視で重なるように配置されている。遮光層３５が配置された領域が、遮光領域Ｓである。
【００５９】
例えば、サブ画素６のＸ方向における配置ピッチが２．５μｍの場合、絶縁層２８の開口部２９及び透光層３０のＸ方向における幅は１．５μｍ程度である。隣り合う開口部２９同士の間隔、すなわち絶縁層２８及び遮光層３５（遮光領域Ｓ）の幅は１μｍ程度である。
【００６０】
次に、図４及び図５を参照して、第１の実施形態に係る有機ＥＬ装置の構造を説明する。図４は、図３に示す有機ＥＬ装置のＡ−Ａ’線に沿う模式断面図である。図５は、図３に示す有機ＥＬ装置のＢ−Ｂ’線に沿う模式断面図である。
【００６１】
図４及び図５に示すように、有機ＥＬ装置１は、素子基板１０と、陽極２４と、有機機能層２６と、陰極２５と、保護層２０と、透光層３０と、遮光層３５と、接着層４４と、対向基板４０とを備えている。有機ＥＬ装置１は、有機機能層２６から発した光が対向基板４０側に射出されるトップエミッション型である。
【００６２】
なお、本明細書では、図４及び図５における有機ＥＬ装置１の対向基板４０側を上方と呼ぶ。また、本明細書では、有機ＥＬ装置１の対向基板４０側表面の法線方向から見ることを「平面視」と呼ぶ。図２及び図３は、対向基板４０を省略した状態で有機ＥＬ装置１を平面視した図である。
【００６３】
素子基板１０は、基板本体１１と、回路素子層１７と、反射層１９と、絶縁層１８とを備えている。基板本体１１は、例えば、ガラス、石英、樹脂、セラミックス等からなる。有機ＥＬ装置１がトップエミッション型であるため、基板本体１１の材料は透光性を有する材料でなくてもよく、例えばシリコン（Ｓｉ）であってもよい。対向基板４０は、例えば、ガラス、石英、樹脂、セラミックス等の透光性を有する材料からなる。
【００６４】
回路素子層１７は、基板本体１１上に設けられている。回路素子層１７は、駆動用トランジスター２３（図５参照）と、図示しない層間絶縁層及び平坦化層を含んでいる。駆動用トランジスター２３は、サブ画素６（６Ｒ，６Ｇ，６Ｂ）毎に設けられている。詳細な図示を省略するが、駆動用トランジスター２３は、半導体膜とゲート絶縁層とゲート電極とドレイン電極とソース電極とを備えている。
【００６５】
ゲート電極は、半導体膜を覆うゲート絶縁層を間に挟んで半導体膜のチャネル領域に平面的に重なるように配置されている。ドレイン電極は、ゲート電極とゲート絶縁層とを覆う層間絶縁層に設けられたコンタクトホールを介して、半導体膜のドレイン領域に導電接続されている。ソース電極は、同様にコンタクトホールを介して、半導体膜のソース領域に導電接続されている。平坦化層は、ドレイン電極及びソース電極を覆うように設けられており、これらの電極やその他の配線部による表面の凹凸を緩和している。
【００６６】
反射層１９は、回路素子層１７上に、サブ画素６（６Ｒ，６Ｇ，６Ｂ）毎に設けられている。反射層１９は、例えば、アルミニウムや銀、またはアルミニウムや銀を主成分とする合金等の光反射性を有する材料によって形成される。
【００６７】
絶縁層１８は、回路素子層１７と反射層１９とを覆うように設けられている。絶縁層１８の上面は、平坦化されている。絶縁層１８は、例えば、二酸化珪素（ＳｉＯ2）、窒化珪素（ＳｉＮ）、酸化窒化珪素（ＳｉＯＮ）等の無機絶縁膜によって形成されている。絶縁層１８は、アクリル樹脂、ポリイミド樹脂等の有機樹脂によって形成されてもよい。
【００６８】
陽極２４（２４Ｒ，２４Ｇ，２４Ｂ）は、素子基板１０上に、サブ画素６（６Ｒ，６Ｇ，６Ｂ）毎に設けられている。陽極２４（２４Ｒ，２４Ｇ，２４Ｂ）は、平面視で反射層１９と重なるように配置されている。陽極２４Ｒ，２４Ｇ，２４Ｂの膜厚は、後述する光共振構造の光学的距離（光路長）を調整するため互いに異なっており、陽極２４Ｂ，２４Ｇ，２４Ｒの順に厚くなっている。
【００６９】
陽極２４は、例えば、ＩＴＯ（Indium Tin Oxide）、ＩＺＯ（Indium Zinc Oxide）等の金属酸化物や合金等で構成される。陽極２４は、例えば、平面視で略矩形状に形成されている。陽極２４は、絶縁層１８に設けられたコンタクトホールＣＨ（図５参照）を介して、駆動用トランジスター２３のドレイン電極に電気的に接続されている。
【００７０】
絶縁層２８は、絶縁層１８上に設けられている。絶縁層２８は、開口部２９を有している。絶縁層２８は、開口部２９の周囲に沿って陽極２４（２４Ｂ，２４Ｇ，２４Ｒ）の周縁部に所定幅で乗り上げるように配置された部分（図３に斜線で示す部分）を有している。絶縁層２８の断面形状は、台形形状で図示しているが、矩形形状であってもよい。絶縁層２８は、例えば、二酸化珪素（ＳｉＯ2）等の無機絶縁材料で形成されている。絶縁層２８は、アクリル樹脂等の樹脂で形成されていてもよい。
【００７１】
上述したように、絶縁層２８の開口部２９は、サブ画素６Ｒ，６Ｇ，６Ｂの各領域を区画している。開口部２９内、すなわちサブ画素６Ｒ，６Ｇ，６Ｂの領域内では、陽極２４Ｂ，２４Ｇ，２４Ｒから有機機能層２６を通じて陰極２５に電流が流れて有機機能層２６が発光する。また、陽極２４および陰極２５から注入される電荷は、横方向にも広がるため、開口部２９の周辺（例えば図３に斜線で示す部分）では、絶縁層２８と重なる領域であっても有機機能層２６は発光する。一方、開口部２９から十分離れた領域では、陽極２４Ｂ，２４Ｇ，２４Ｒと陰極２５との間が絶縁層２８で絶縁されているため電流が流れないので有機機能層２６は発光しない。
【００７２】
有機機能層２６は、陽極２４（２４Ｂ，２４Ｇ，２４Ｒ）と絶縁層２８とを覆うように設けられている。つまり、有機機能層２６は、絶縁層２８に跨るように、複数のサブ画素６（発光素子２７）に亘って連続して形成されている。有機機能層２６は、例えば、正孔輸送層と有機発光層と電子輸送層とで構成される。有機機能層２６では、正孔輸送層から注入される正孔と電子輸送層から注入される電子とが有機発光層で再結合することにより、白色の発光が得られる。有機機能層２６を構成するこれらの層は、公知の材料を用いて形成することができる。
【００７３】
陰極２５は、有機機能層２６を覆うように設けられている。したがって、陰極２５は、複数のサブ画素６（発光素子２７）に亘って連続して形成されている。陰極２５は、その表面に達した光の一部を透過するとともに他の一部を反射する性質（すなわち半透過反射性）を持った半透過反射層として機能する。陰極２５は、マグネシウム（Ｍｇ）や銀（Ａｇ）、またはこれらを主成分とする合金等で形成される。
【００７４】
陽極２４（２４Ｒ，２４Ｇ，２４Ｂ）と有機機能層２６と陰極２５とで、発光素子２７（２７Ｒ，２７Ｇ，２７Ｂ）が構成される。つまり、発光素子２７Ｒ，２７Ｇ，２７Ｂでは、陽極２４Ｒ，２４Ｇ，２４Ｂの層厚がそれぞれ異なっている。発光素子２７Ｒ，２７Ｇ，２７Ｂは、サブ画素６Ｒ，６Ｇ，６Ｂに対応して配置される。
【００７５】
なお、陰極２５上に、上層の保護層２０に含まれる有機成分や水分等から陰極２５を保護するため、陰極保護層が設けられていてもよい。陰極保護層は、例えば、二酸化珪素（ＳｉＯ2）、窒化珪素（ＳｉＮ）、酸化窒化珪素（ＳｉＯＮ）等の無機材料で構成される。
【００７６】
保護層２０は、陰極２５を覆うように設けられている。保護層２０は、図示を省略するが、例えば緩衝層とガスバリア層等で構成される。緩衝層は、素子基板１０の反りや体積膨張により発生する応力や外部から加えられる機械的衝撃及び応力を緩和して、上層のガスバリア層や下層の陰極２５にクラックや剥れが発生することを防止する機能を有する。また、緩衝層は、下層の構成要素に起因する表面の凹凸を緩和する平坦化層としての機能も有する。緩衝層の材料としては、例えば、エポキシ樹脂、アクリル樹脂、ポリウレタン樹脂、シリコーン樹脂等の透光性を有する樹脂材料を用いることができる。
【００７７】
ガスバリア層は、その内側に酸素や水分が浸入するのを防止する機能を有する。これにより、陰極２５や有機機能層２６への酸素や水分の浸入が抑えられるので、陰極２５や有機機能層２６の劣化等を抑えることができる。ガスバリア層は、例えば、二酸化珪素（ＳｉＯ2）、窒化珪素（ＳｉＮ）、酸化窒化珪素（ＳｉＯＮ）等の無機材料で構成される。
【００７８】
透光層３０は、保護層２０上に設けられている。透光層３０は、平面視で絶縁層２８の開口部２９と重なるようにマトリックス状に配置されている。すなわち、透光層３０は、サブ画素６（６Ｒ，６Ｇ，６Ｂ）の領域に配置されている。透光層３０の断面形状は、上底が下底よりも小さい（辺の長さが短い）台形、又は矩形である。透光層３０の断面形状は、上底が下底よりも小さい台形である方が、溝部３１を埋めるように遮光層３５を形成する際に、遮光層３５の材料が溝部３１の底部側の角部に回り込みやすくなる点で好ましい。
【００７９】
透光層３０の高さ（Ｚ方向における長さ）は、例えば、１．０μｍ〜２．０μｍ程度である。透光層３０は、例えば、アクリル等の透光性を有する感光性樹脂材料をパターニングして形成されている。発光素子２７から発せられた光は、透光層３０を透過して対向基板４０側へ射出される。透光層３０は、可視光域の全波長範囲において光の９０％以上が透過する透光性を有していることが好ましい。透光層３０がこのような透光性を有していると、透光層３０を透過することによる射出光の輝度低下を小さく抑えることができる。
【００８０】
隣り合う透光層３０同士の間には、溝部３１が設けられている。換言すれば、溝部３１により、透光層３０が区画されている。溝部３１は、平面視で絶縁層２８と重なるように格子状に配置されている（図３参照）。
【００８１】
遮光層３５は、透光層３０同士の間に、溝部３１を埋めるように設けられている。遮光層３５は、透光層３０の側面に接して設けられている。したがって、遮光層３５の断面形状は、透光層３０の断面形状に依存し、上底が下底よりも大きい（辺の長さが長い）台形、又は矩形である。
【００８２】
遮光層３５は、平面視で絶縁層２８と重なるように、格子状に配置されている（図３参照）。したがって、遮光層３５は、絶縁層２８が陽極２４の周縁部に乗り上げるように配置された部分（図３に斜線で示す部分）と平面視で重なるように配置されている。また、遮光層３５は、陽極２４の領域のうち、コンタクトホールＣＨと接続される部分と平面視で重なるように配置されている（図５参照）。陽極２４のコンタクトホールＣＨと接続される部分では、発光素子２７から発せられた光が漏れる場合がある。したがって、コンタクトホールＣＨと重なるように遮光層３５を配置することで、この部分からの光漏れを抑えることができる。
【００８３】
本実施形態では、遮光層３５の厚さ（Ｚ方向における長さ）は、例えば、透光層３０の高さよりも小さい。したがって、遮光層３５の上面（上底側の表面）は、透光層３０の上面（上底側の表面）よりも低くなっている。なお、遮光層３５の厚さは、本実施形態の構成に限定されるものではなく、透光層３０の高さと同じであってもよいし、透光層３０の高さよりも厚くてもよい（高くてもよい）。
【００８４】
遮光層３５は、発光素子２７から発せられた光のうち、遮光領域Ｓから射出される光を遮光又は減光する機能を有する。遮光層３５により、隣り合うサブ画素６同士の間の遮光領域Ｓにおける光の漏れが抑制されるので、各サブ画素６の色純度の低下を抑えることができる。
【００８５】
なお、透光層３０を上底が下底よりも小さい台形形状とし、遮光層３５を上底が下底よりも大きい台形形状とすることで、遮光層３５のＸ方向及びＹ方向における面積は、上方に向けて、すなわちＺ方向に沿って下底側から上底側に向けて広がるように大きくなる。発光素子２７から発せられた光は上方に向かって放射状に広がるため、遮光層３５をこのような台形形状とすることで、隣り合うサブ画素６同士の間での光の漏れをより効果的に抑制することができる。
【００８６】
遮光層３５は、保護層２０上に順に積層された第１の着色層３２と第２の着色層３３と第３の着色層３４とで構成されている。第１の着色層３２、第２の着色層３３、及び第３の着色層３４は、例えば、顔料等が分散されたアクリル等の透光性を有する感光性樹脂材料をパターニングして形成されている。第１の着色層３２、第２の着色層３３、及び第３の着色層３４の各層の層厚は、例えば略同一である。
【００８７】
本実施形態では、第１の着色層３２には、赤色光に相当する波長範囲の光、すなわち波長が６１０ｎｍ〜７５０ｎｍ程度の範囲内の光を透過させ、それ以外の波長範囲の光を吸収する材料が分散されている。第２の着色層３３には、緑色光に相当する波長範囲の光、すなわち波長が５００ｎｍ〜５６０ｎｍ程度の範囲内の光を透過させ、それ以外の波長範囲の光を吸収する材料が分散されている。第３の着色層３４には、青色光に相当する波長範囲の光、すなわち波長が４３５ｎｍ〜４８０ｎｍ程度の範囲内の光を透過させ、それ以外の波長範囲の光を吸収する材料が分散されている。
【００８８】
なお、第１の着色層３２、第２の着色層３３、及び第３の着色層３４の構成は、本実施形態の構成に限定されるものではなく、積層される順が上述と異なっていてもよいし、透過又は吸収する光の波長範囲が上述とは異なる構成であってもよい。また、第１の着色層３２、第２の着色層３３、及び第３の着色層３４の各層の層厚は、本実施形態のように略同一でなくてもよく、それぞれの所定波長範囲の光を透過又は吸収する特性等に応じて適宜設定されたものであってもよい。さらに、遮光層３５を構成する着色層の数は、複数であれば３層に限定されるものではない。
【００８９】
透光層３０及び遮光層３５までが形成された素子基板１０は、接着層４４を介して対向基板４０と貼り合わされている。接着層４４は、透光性の樹脂材料、例えば、エポキシ樹脂などの硬化性樹脂からなる。
【００９０】
なお、有機ＥＬ装置１がダミー領域を備えている場合、ダミー領域にも発光領域Ｅと同様に、透光層３０、溝部３１、及び遮光層３５を備えていてもよい。
【００９１】
＜光共振構造＞
次に、本実施形態に係る有機ＥＬ装置１が有する光共振構造を説明する。有機ＥＬ装置１では、反射層１９と陰極２５との間に、有機機能層２６で発せられた光を共振させる光共振器が形成されている。
【００９２】
有機機能層２６で発せられた光の少なくとも一部は、光共振器により共振して光共振器の光学的距離（光路長）に対応した共振波長の光が増強される。光共振器による共振は、反射層１９と陰極２５との間で光が往復して行われる。共振器で共振した光は、陰極２５を透過して上方に射出される。このため、有機ＥＬ装置１から射出されるＲ，Ｇ，Ｂのそれぞれの波長帯域の光について、輝度を高めることができるとともに、半値幅が狭いスペクトルを有する光を取り出すことができる。
【００９３】
光共振器における共振波長は、反射層１９と陰極２５との間の光学的距離を変えることによって調整が可能である。反射層１９と陰極２５との間の光学的距離をＬとし、有機機能層２６で発せられた光のうち取り出したい光のスペクトルのピーク波長をλとすると、次のような関係式が成り立つ。Φ（ラジアン）は、有機機能層２６で発せられた光が光共振器の両端（例えば、反射層１９と陰極２５と）で反射する際に生じる位相シフトを表す。
（２Ｌ）／λ＋Φ／（２π）＝ｍ（ｍは整数）
【００９４】
本実施形態に係る有機ＥＬ装置１では、サブ画素６Ｒ，６Ｇ，６Ｂが射出するＲ，Ｇ，Ｂの光に対応させて、それぞれにおける光共振器の共振波長が所定の波長λとなるように、陽極２４Ｒ，２４Ｇ，２４Ｂの層厚を適宜設定することにより光学的距離Ｌを最適化する構成となっている。このような構成により、有機機能層２６で発せられた白色光のうち、サブ画素６ＲではＲ光が強められ、サブ画素６ＧではＧ光が強められ、サブ画素６ＢではＢ光が強められる。
【００９５】
そのため、有機ＥＬ装置１は、カラーフィルターを備えなくても、サブ画素６Ｒ，６Ｇ，６Ｂにおいて、Ｒ，Ｇ，Ｂの光を射出することができる。したがって、有機ＥＬ装置１では、カラーフィルターを備えている場合と比べて、カラーフィルターを透過させる場合に生じる輝度の低下が回避されるので、より高輝度の表示が得られる。
【００９６】
なお、本実施形態では、サブ画素６Ｒ，６Ｇ，６Ｂに対応して陽極２４の層厚を異ならせることで、光共振器の光学的距離を最適化する構成としているが、光共振器の構成はこのような形態に限定されない。サブ画素６Ｒ，６Ｇ，６Ｂに対応して、反射層１９と陽極２４との間に光路調整層を備えた構成としてもよい。また、反射層１９と陰極２５との間に配置された絶縁層等の層厚を異ならせることや、複数の絶縁層または導電層を積層することで光共振器の光学的距離を最適化する構成としてもよい。
【００９７】
ところで、有機ＥＬ装置１では、上述したように、絶縁層２８が陽極２４の周縁部と重なるように設けられている。絶縁層２８と陽極２４とが重なる部分（図３に斜線で示す部分）と、絶縁層２８と陽極２４とが重ならない開口部２９内の部分とでは、反射層１９と陰極２５との間の光学的距離Ｌが異なる。そのため、絶縁層２８と陽極２４とが重なる部分では、共振波長が所定の波長からずれることにより、サブ画素６Ｒ，６Ｇ，６Ｂの所定の色とは異なる色の光が発せられる。このような光がそのまま上方に射出されると、発光色の純度が低下して、有機ＥＬ装置１の表示品質の低下を招くこととなる。
【００９８】
これに対して、本実施形態に係る有機ＥＬ装置１では、遮光層３５が平面視で絶縁層２８と重なるように配置されている。そのため、絶縁層２８と陽極２４とが重なる部分から射出される共振波長が所定の波長からずれた光は、遮光層３５により遮光される。このようなサブ画素６の領域から射出される光の共振波長と異なる波長の光が遮光層３５で遮られるので、射出される光の色の純度低下を抑えることができる。
【００９９】
そして、有機ＥＬ装置１では、遮光層３５が素子基板１０上に設けられている。そのため、遮光層３５が対向基板４０上に設けられている場合と比べて、素子基板１０と対向基板４０とを貼り合わせる際の位置ずれによる影響を排除できるので、共振波長が所定の波長からずれた光を、より確実に遮光することができる。
【０１００】
なお、本実施形態に係る有機ＥＬ装置１では、遮光層３５が金属材料ではなく樹脂材料で構成されている。このような構成による効果を、遮光層が金属材料で構成されている場合と比較して説明する。図１５（ａ）に、比較例として、金属材料からなる遮光層３８を備えた有機ＥＬ装置３の模式図を示す。有機ＥＬ装置３は、保護層２０上に、例えばクロム等の金属材料で形成された遮光層３８を備えている。
【０１０１】
図１５（ａ）に示すように、発光素子２７Ｇから射出された光のうち斜め方向に射出された一部の光Ｌｍは、遮光層３８により遮光されるのでそのまま対向基板４０側には射出されない。しかしながら、一部の光Ｌｍは、遮光層３８で素子基板１０側へ反射されると、隣の発光素子２７Ｒの反射層１９で再び反射されて対向基板４０側に射出されてしまう。
【０１０２】
このように、金属材料からなる遮光層３８を備えている場合、有機機能層２６から発せられた光の一部の光Ｌｍが遮光層３８で反射されて迷光となり、有機ＥＬ装置３の表示品質が損なわれるおそれがある。本実施形態に係る有機ＥＬ装置１では、遮光層３５が樹脂材料で形成されているので、発光素子２７から斜め方向に射出された一部の光Ｌｍは、遮光層３５で反射されることなく遮光される。
【０１０３】
本実施形態に係る有機ＥＬ装置１の上述のような構成によれば、サブ画素６Ｒ，６Ｇ，６Ｂにおける発光色の純度が高く、表示品質に優れた有機ＥＬ装置１を提供することができる。
【０１０４】
＜有機ＥＬ装置の製造方法＞
次に、第１の実施形態に係る有機ＥＬ装置の製造方法を図６、図７、図８、及び図９を参照して説明する。図６、図７、図８、及び図９は、第１の実施形態に係る有機ＥＬ装置の製造方法を説明する模式図である。なお、図６、図７、図８、及び図９の各図は、図３のＡ−Ａ’線に沿った模式断面図に相当する。
【０１０５】
なお、有機ＥＬ装置１は、例えば、有機ＥＬ装置１（素子基板１０）を複数枚取りできる大型のマザー基板の状態で加工が行われる。そして、最終的にそのマザー基板から有機ＥＬ装置１（素子基板１０）を切り出して個片化することにより、複数の有機ＥＬ装置１が得られる。図６、図７、図８、及び図９では、個別の素子基板１０の状態を示している。
【０１０６】
まず、図６（ａ）に示すように、公知の技術を用いて、反射層１９を形成した素子基板１０上に発光素子２７（２７Ｒ，２７Ｇ，２７Ｂ）を形成する。そして、公知の技術を用いて、発光素子２７を覆うように保護層２０を形成する。保護層２０の表面は略平坦に形成される。
【０１０７】
次に、図６（ｂ）に示すように、保護層２０上に透光樹脂層３０ａを形成する。透光樹脂層３０ａは、例えば、アクリル等の透光性を有するポジ型の感光性樹脂材料を、スピンコート法等を用いて保護層２０を覆うように素子基板１０上の全面に亘って塗布することにより形成される。
【０１０８】
次に、図６（ｃ）に示すように、マスク６０を介して透光樹脂層３０ａを露光する。マスク６０は、透光部６１と遮光部６２とを有している。透光部６１は、平面視で絶縁層２８（遮光領域Ｓ）と重なるように配置されている。遮光部６２は、平面視で絶縁層２８の開口部２９と重なるように配置されている。透光樹脂層３０ａのうち、透光部６１と重なる部分が感光する。
【０１０９】
次に、透光樹脂層３０ａを現像することにより感光した部分を除去する。これにより、図７（ａ）に示すように、平面視で絶縁層２８（遮光領域Ｓ）と重なる部分が除去されて、溝部３１が形成される（溝部形成工程）。また、この結果、平面視で絶縁層２８の開口部２９と重なる部分が、溝部３１に区画された状態で残留する。この残留した部分を熱処理して硬化させることにより、透光層３０が形成される。なお、形成された透光層３０の表面に、ＨＭＤＳ（Hexamethyldisilazane）等の表面処理を施してもよい。
【０１１０】
次に、図７（ｂ）に示すように、透光層３０上に第１の着色材料層３２ａを形成する。第１の着色材料層３２ａは、例えば、赤色光に相当する波長範囲内の光を透過させるネガ型の感光性樹脂材料を、スピンコート法等を用いて保護層２０と透光層３０とを覆うように素子基板１０上の全面に亘って塗布することにより形成される。これにより、溝部３１は、第１の着色材料層３２ａにより埋められる。
【０１１１】
次に、第１の着色材料層３２ａのうち透光層３０と重なる部分を、フォトリソグラフィ法を用いて除去する。まず、図７（ｃ）に示すように、マスク６０を介して第１の着色材料層３２ａを露光する。第１の着色材料層３２ａのうち、透光部６１と重なる部分が感光する。
【０１１２】
続いて、図８（ａ）に示すように、第１の着色材料層３２ａを現像することにより、観光されなかった部分を除去する。これにより、第１の着色材料層３２ａのうち、透光層３０上の部分が除去され、平面視で絶縁層２８（遮光領域Ｓ）と重なる部分が残留する。
【０１１３】
この図８（ａ）に示す状態から、さらに現像を続けることにより、残留した第１の着色材料層３２ａの膜厚を薄くする。そして、図８（ｂ）に示すように、第１の着色材料層３２ａの膜厚が所望の膜厚になったところで現像を停止し、熱処理して硬化させることにより、溝部３１の内側に第１の着色層３２が形成される。
【０１１４】
次に、図８（ｃ）に示すように、第１の着色層３２及び透光層３０上に第２の着色材料層３３ａを形成する。第２の着色材料層３３ａは、例えば、緑色光に相当する波長範囲内の光を透過させるネガ型の感光性樹脂材料を、スピンコート法等を用いて第１の着色層３２と透光層３０とを覆うように素子基板１０上の全面に亘って塗布することにより形成される。これにより、第１の着色層３２が形成された溝部３１は、第２の着色材料層３３ａにより埋められる。
【０１１５】
次に、図９（ａ）に示すように、第１の着色層３２を形成する工程と同様に、フォトリソグラフィ法を用いて、第２の着色材料層３３ａのうち透光層３０と重なる部分を除去するとともに、残留した第２の着色材料層３３ａの膜厚を所望の膜厚になるまで薄くし、熱処理して硬化させる。これにより、溝部３１の内側に、第１の着色層３２に積層された第２の着色層３３が形成される。
【０１１６】
次に、図９（ｂ）に示すように、第２の着色層３３及び透光層３０上に第３の着色材料層３４ａを形成する。第３の着色材料層３４ａは、例えば、青色光に相当する波長範囲内の光を透過させるネガ型の感光性樹脂材料を、スピンコート法等を用いて第２の着色層３３と透光層３０とを覆うように素子基板１０上の全面に亘って塗布することにより形成される。これにより、第２の着色層３３までが形成された溝部３１は、第３の着色材料層３４ａにより埋められる。
【０１１７】
次に、図９（ｃ）に示すように、第１の着色層３２を形成する工程と同様に、フォトリソグラフィ法を用いて、第３の着色材料層３４ａのうち透光層３０と重なる部分を除去するとともに、残留した第３の着色材料層３４ａの膜厚を所望の膜厚になるまで薄くし、熱処理して硬化させる。これにより、溝部３１の内側に、第２の着色層３３に積層された第３の着色層３４が形成される。以上の工程（遮光層形成工程）により、積層された第１の着色層３２と第２の着色層３３と第３の着色層３４とで構成される遮光層３５が形成される。
【０１１８】
ここで、有機ＥＬ装置１が透光層３０を備えていることによる遮光層形成工程における効果を、透光層３０を備えていない場合と比較して説明する。図１５（ｂ）に、比較例として、透光層３０を備えていない場合の遮光層形成工程の模式図を示す。図１５（ｂ）は、第１の着色層３２及び第２の着色層３３を形成した後、第３の着色材料層３４ａを形成し露光して現像する際の状態を説明する図である。
【０１１９】
図１５（ｂ）に示すように、第３の着色材料層３４ａを現像する際、第３の着色材料層３４ａのうち感光しなかった部分を除去していくと、残留する感光した部分の上面側及び側面側が現像液に晒される。そうすると、例えば、第３の着色材料層３４ａと第２の着色層３３との界面に現像液が入り込む場合がある。このような場合、第３の着色材料層３４ａが第２の着色層３３から剥れてしまうおそれがある。
【０１２０】
本実施形態に係る有機ＥＬ装置１は、透光層３０を備えているので、図９（ｃ）に示すように、第３の着色材料層３４ａは、溝部３１の内側において透光層３０の両側面に接して配置される。したがって、第３の着色材料層３４ａのうち残留する部分は側面側からは現像されないため、第３の着色材料層３４ａの第２の着色層３３からの剥れを抑止できる。
【０１２１】
なお、本実施形態では、遮光層形成工程において最上層に形成される第３の着色層３４の上面が透光層３０の上面よりも低くなるまで膜厚を薄くする例を図９（ｃ）に示しているが、第３の着色層３４の上面が透光層３０の上面と同じ高さであってもよいし、第３の着色層３４の上面が透光層３０の上面よりも高くてもよい。
【０１２２】
第３の着色層３４の上面を透光層３０の上面よりも高く形成する場合、第３の着色層３４の一部が透光層３０の上面に乗り上げるように形成することとしてもよい。そうすれば、露光の際のマスク６０の透光部６１の形状によって第３の着色層３４の平面形状を制御できる。したがって、第３の着色層３４の上面を透光層３０の上面よりも低くする場合に、溝部３１の内側で第３の着色層３４の平面形状が膜厚を薄くする度合いにより変化するのと比べて、第３の着色層３４の平面形状をより精度よく形成することができる。
【０１２３】
第１の着色層３２、第２の着色層３３、及び第３の着色層３４の各着色層の層厚は所定波長範囲の光を透過又は吸収する特性等に応じて設定することができるが、これら各着色層の層厚が異なる場合は、層厚が最も厚い着色層を溝部３１の底部側に形成することが好ましい。溝部３１の底部側に形成される着色層では、その上層に形成される着色層と比べて、膜厚を薄くする際の表面側からの膜の削減量が多くなる。したがって、最も層厚が厚い着色層を底部側に形成することで、溝部３１の底部側に形成する着色層の膜の削減量を小さくできる。
【０１２４】
また、これら３つの着色層のうち最も容易に膜厚が薄くなる（膜厚が薄くなる速度が速い）着色層を、溝部３１の底部側に形成することが好ましい。溝部３１の底部側に形成される着色層では表面側からの膜の削減量が多くなるため、溝部３１の底部側に形成する着色層の膜厚を容易に所望の膜厚にすることができる。
【０１２５】
遮光層形成工程の後、公知の技術を用いて、素子基板１０と対向基板４０とを接着層４４を介して貼り合せて接着固定する。以上により、図４及び図５に示す有機ＥＬ装置１を製造することができる。
【０１２６】
（第２の実施形態）
＜有機ＥＬ装置＞
次に、第２の実施形態に係る有機ＥＬ装置の構成について図を参照して説明する。図１０は、第２の実施形態に係る有機ＥＬ装置の構成を示す模式断面図である。なお、図１０は、図２のＡ−Ａ’線に沿った断面図に相当する。
【０１２７】
第２の実施形態に係る有機ＥＬ装置２は、第１の実施形態に係る有機ＥＬ装置１に対して、遮光層３６が黒色の色材を含有する樹脂材料で構成されている点が異なるが、他の構成はほぼ同じである。第１の実施形態に係る有機ＥＬ装置１と共通する構成要素については、同一の符号を付しその説明を省略する。
【０１２８】
図１０に示すように、第２の実施形態に係る有機ＥＬ装置２は、素子基板１０と、陽極２４と、有機機能層２６と、陰極２５と、保護層２０と、透光層３０と、遮光層３６と、接着層４４と、対向基板４０とを備えている。
【０１２９】
遮光層３６は、カーボンブラック等の黒色の色材が分散されたアクリル等の感光性樹脂材料をパターニングして形成されている。遮光層３６は、黒色の色材を含んでいることにより、第１の実施形態に係る遮光層３５と比べて、より高い遮光特性を有することが可能となる。
【０１３０】
なお、第２の実施形態に係る有機ＥＬ装置２では、遮光層３６の上面が透光層３０の上面よりも高く形成された例を示している。このような構成によれば、上述した通り、遮光層３６の平面形状を露光の際のマスク６０の透光部６１の形状によって制御できるので、遮光層３６の平面形状をより精度よく形成することができる。なお、遮光層３６の上面が透光層３０の上面と同じ高さであってもよいし、遮光層３６の上面が透光層３０の上面よりも低くてもよい。
【０１３１】
＜有機ＥＬ装置の製造方法＞
次に、第２の実施形態に係る有機ＥＬ装置の製造方法を図１１を参照して説明する。図１１は、第２の実施形態に係る有機ＥＬ装置の製造方法を説明する模式図である。詳しくは、図１１は、第２の実施形態に係る遮光層３６の製造方法を説明する模式図である。なお、図１１の各図は、図３のＡ−Ａ’線に沿った概略断面図に相当する。
【０１３２】
まず、図１１（ａ）に示すように、透光層３０上に遮光材料層３６ａを形成する。遮光材料層３６ａは、例えば、スピンコート法等を用いて保護層２０と透光層３０とを覆うように素子基板１０上の全面に亘って塗布することにより形成される。これにより、溝部３１は、遮光材料層３６ａにより埋められる。
【０１３３】
次に、図１１（ｂ）に示すように、マスク６０を介して遮光材料層３６ａを露光する。遮光材料層３６ａのうち、透光部６１と重なる部分が感光する。続いて、図１１（ｃ）に示すように、遮光材料層３６ａを現像して残留した部分を熱処理して硬化させることにより、溝部３１の内側に遮光層３６が形成される。
【０１３４】
第２の実施形態に係る有機ＥＬ装置の製造方法によれば、１層の遮光材料層３６ａで遮光層３６を形成するので、第１の実施形態に係る遮光層３５のように複数の着色層を積層して形成する構成と比べて、遮光層形成工程における工程数を削減することができる。
【０１３５】
ここで、第２の実施形態において、有機ＥＬ装置２が透光層３０を備えていることによる遮光層形成工程における効果を、透光層３０を備えていない場合と比較して説明する。図１５（ｃ）に、比較例として、透光層３０を備えていない場合の遮光層形成工程の模式図を示す。図１５（ｃ）は、遮光材料層３６ａを形成し露光した後現像する際の状態を説明する図である。
【０１３６】
図１１（ｂ）と同様にして遮光材料層３６ａを露光する際、黒色の色材が分散された遮光材料層３６ａでは、露光するための光が黒色の色材に吸収されることにより、遮光材料層３６ａの底部側に十分感光しない部分ができる場合がある。十分感光しない部分ができると、図１５（ｃ）に示す現像の際に、遮光材料層３６ａのうち残留する部分の上面側及び側面側が現像液に晒されるので、不要部分が除去されるだけでなく、十分感光しなかった底部側の部分も一部が除去されることとなる。その結果、現像の際に残留すべき遮光層３６となる部分が剥れてしまうおそれがある。また、上述の理由から、特にサブ画素６の配置ピッチが狭く遮光層３６（遮光領域Ｓ）の幅が狭い場合は、フォトリソグラフィ法を用いて遮光層３６を形成することは困難である。
【０１３７】
本実施形態に係る有機ＥＬ装置２は、透光層３０を備えているので、図１１（ａ）に示すように、遮光材料層３６ａは、溝部３１の内側において透光層３０の両側面に接して配置される。したがって、遮光材料層３６ａは側面側からは現像されないため、万が一遮光材料層３６ａの底部側に十分感光しなかった部分ができていた場合でも、遮光材料層３６ａの剥れを抑止することができる。また、遮光層３６の幅は、溝部３１の幅、すなわち隣り合う透光層３０同士の間隔で制御できるので、サブ画素６の配置ピッチが狭く遮光層３６（遮光領域Ｓ）の幅が狭い場合でも、フォトリソグラフィ法を用いて遮光層３６を形成することができる。
【０１３８】
（第３の実施形態）
＜電子機器＞
次に、第３の実施形態に係る電子機器について図１２を参照して説明する。図１２は、第３の実施形態に係る電子機器としてのヘッドマウントディスプレイの構成を示す概略図である。
【０１３９】
図１２に示すように、第３の実施形態に係るヘッドマウントディスプレイ（ＨＭＤ）１００は、左右の目に対応して設けられた２つの表示部１０１を備えている。観察者Ｍはヘッドマウントディスプレイ１００を眼鏡のように頭部に装着することにより、表示部１０１に表示された文字や画像などを見ることができる。例えば、左右の表示部１０１に視差を考慮した画像を表示すれば、立体的な映像を見て楽しむこともできる。
【０１４０】
表示部１０１には、第１の実施形態に係る有機ＥＬ装置１、又は、第２の実施形態に係る有機ＥＬ装置２が搭載されている。したがって、高輝度で色純度が高く優れた表示品質を有するとともに、小型で軽量のヘッドマウントディスプレイ１００を提供することができ、特にシースルータイプのヘッドマウントディスプレイ１００に好適である。
【０１４１】
ヘッドマウントディスプレイ１００は、２つの表示部１０１を有する構成に限定されず、左右のいずれかに対応させた１つの表示部１０１を備える構成としてもよい。
【０１４２】
なお、第１の実施形態に係る有機ＥＬ装置１、又は、第２の実施形態に係る有機ＥＬ装置２が搭載される電子機器は、ヘッドマウントディスプレイ１００に限定されない。有機ＥＬ装置１が搭載される電子機器としては、例えば、パーソナルコンピューターや携帯型情報端末、ナビゲーター、ビューワー、ヘッドアップディスプレイなどの表示部を有する電子機器が挙げられる。
【０１４３】
上述した実施形態は、あくまでも本発明の一態様を示すものであり、本発明の範囲内で任意に変形及び応用が可能である。変形例としては、例えば、以下のようなものが考えられる。
【０１４４】
（変形例１）
上記実施形態に係る有機ＥＬ装置１，２では、透光層３０が樹脂材料で形成された構成であったが、本発明はこのような形態に限定されない。透光層は、無機材料で構成されていてもよい。図１３は、変形例１に係る有機ＥＬ装置の製造方法を説明する模式図である。詳しくは、図１３は、変形例１に係る透光層５０の製造方法を説明する模式図である。なお、図１３の各図は、図３のＡ−Ａ’線に沿った概略断面図に相当する。
【０１４５】
まず、図１３（ａ）に示すように、保護層上に透光材料層５０ａを形成する。透光材料層５０ａは、二酸化珪素（ＳｉＯ2）、窒化珪素（ＳｉＮ）、酸化窒化珪素（ＳｉＯＮ）等の無機材料で構成される。透光材料層５０ａは、例えば、ＥＣＲスパッタ法やイオンプレーティング法等の高密度プラズマ成膜法を用いて形成することができる。
【０１４６】
次に、図１３（ｂ）に示すように、フォトリソグラフィ法を用いて透光材料層５０ａをパターニングする。より具体的には、透光材料層５０ａ上にレジスト７１を形成する。レジスト７１は、平面視で絶縁層２８の開口部２９と重なる領域に配置される。
【０１４７】
レジスト７１を介して、例えば、異方性エッチングを施すことにより、透光材料層５０ａをパターニングする。透光材料層５０ａのうちレジスト７１が配置された部分は残留し、その他の部分は除去される。そして、レジスト７１を剥離することにより、図１３（ｃ）に示すように、溝部５１が形成され、溝部５１によって区画された透光層５０が形成される。
【０１４８】
変形例１の構成によれば、透光層５０の材料に無機材料を用いることで、上記実施形態のように樹脂材料を用いる場合と比べて、耐光性や耐熱性により優れた透光層５０を形成することができる。
【０１４９】
（変形例２）
変形例１では、保護層２０上に無機材料で形成された透光層５０を備えた構成であったが、本発明はこのような形態に限定されない。保護層と透光層とを一体で形成してもよい。図１４は、変形例２に係る有機ＥＬ装置の製造方法を説明する模式図である。詳しくは、図１４は、変形例２に係る保護層５２の製造方法を説明する模式図である。なお、図１４の各図は、図３のＡ−Ａ’線に沿った概略断面図に相当する。
【０１５０】
まず、図１４（ａ）に示すように、発光素子２７までが形成された素子基板１０上に透光材料層５２ａを形成する。透光材料層５２ａは、二酸化珪素（ＳｉＯ2）、窒化珪素（ＳｉＮ）、酸化窒化珪素（ＳｉＯＮ）等の無機材料で構成される。なお、図１４（ａ）では図示を省略しているが、発光素子２７上に緩衝層を形成する場合は、緩衝層の上に透光材料層５２ａを形成する。この場合、透光材料層５２ａは、ガスバリア層の機能を兼ねることとなる。
【０１５１】
次に、図１４（ｂ）に示すように、透光材料層５２ａ上にレジスト７１を形成する。レジスト７１は、平面視で絶縁層２８の開口部２９と重なる領域に配置される。レジスト７１を介して、例えば、異方性エッチングを施すことにより、透光材料層５２ａに溝部５３を形成する。これにより、透光材料層５２ａに、溝部５３で区画された凸状部５４が形成される。この結果、発光素子２７上に保護層５２が形成される。
【０１５２】
保護層５２の溝部５３は、上記実施形態の溝部３１に相当するものである。また、保護層５２の凸状部５４は、上記実施形態の透光層３０に相当するものである。そして、保護層５２のうち溝部５３及び凸状部５４よりも下方側の部分は、上記実施形態の保護層２０に相当するものである。これらを一体で保護層５２を形成することで、無機材料で層を形成する工程を低減することができる。
【０１５３】
（変形例３）
第１の実施形態では遮光層３５が可視光域のうち特定波長範囲の光を透過する着色層を積層して構成され、第２の実施形態では遮光層３６が黒色の色材を含有する樹脂材料で構成された構成であったが、本発明はこのような形態に限定されない。遮光層は、透過する光の波長を可視光域以外の波長帯域の光に変換する色変換材料で構成されていてもよい。このような構成によれば、黒色の色材を含有する樹脂材料で遮光層を形成する場合と比べて、遮光層の樹脂材料を露光する際に光が樹脂材料の底部側まで透過するので、樹脂材料の底部側までより良好に感光させることができる。なお、色変換材料で形成された遮光層は、透過する光の波長を可視光域以外の波長帯域の光に変換するので、遮光層の機能を果たすことができる。
【０１５４】
（変形例４）
上記実施形態では遮光層３５，３６が平面視でＸ方向及びＹ方向に格子状に配置された構成であったが、本発明はこのような形態に限定されない。陽極２４のコンタクトホールＣＨと接続される部分が陽極２４の角部、すなわち、格子状の絶縁層２８の交点部分に配置されている場合は、遮光層３５，３６は、Ｙ方向に沿ってストライプ状に配置されていてもよい。遮光層３５，３６がこのような構成であっても、隣り合うサブ画素６同士の間の遮光領域Ｓにおける光の漏れを抑制しつつ、陽極２４のコンタクトホールＣＨと接続される部分からの光漏れを抑えることができる。
【０１５５】
（変形例５）
上記実施形態では有機ＥＬ装置１，２が光共振構造を有し有機機能層２６が白色で発光する構成であったが、本発明はこのような形態に限定されない。有機ＥＬ装置１，２が光共振構造を有していない構成としてもよく、有機機能層２６がＲ，Ｇ，Ｂの各色で発光する材料で形成された構成としてもよい。
【符号の説明】
【０１５６】
１，２，３…有機ＥＬ装置、５…画素、６（６Ｒ，６Ｇ，６Ｂ）…サブ画素、１０…素子基板（基板）、２０，５２…保護層、２４（２４Ｒ，２４Ｇ，２４Ｂ）…陽極（第１の電極）、２５…陰極（第２の電極）、２６…有機機能層（有機発光層）、２８…絶縁層、３０，５０…透光層、３１…溝部、３５，３６…遮光層、３２…第１の着色層（着色層）、３３…第２の着色層（着色層）、３４…第３の着色層（着色層）、１００…ヘッドマウントディスプレイ（電子機器）。
【図１】
2015005423.tif 000003
【図２】
2015005423.tif 000004
【図３】
2015005423.tif 000005
【図４】
2015005423.tif 000006
【図５】
2015005423.tif 000007
【図６】
2015005423.tif 000008
【図７】
2015005423.tif 000009
【図８】
2015005423.tif 000010
【図９】
2015005423.tif 000011
【図１０】
2015005423.tif 000012
【図１１】
2015005423.tif 000013
【図１２】
2015005423.tif 000014
【図１３】
2015005423.tif 000015
【図１４】
2015005423.tif 000016
【図１５】
2015005423.tif 000017